(57)【要約】【課題】データ送信時に予め送受信を行う無線子機間の伝播状態を調べ、データを無線親機経由で送信する場合の、経路の切替え方法と切替え判定方法を提供する。【解決手段】無線親機２０は、無線子機から受信した帯域予約要求を検出し、帯域予約タイマー２０６の状態を調べタイマーが起動しているならばデータ識別子記憶手段２０７に記憶されている値を取得し、帯域予約要求の情報に含まれているデータ識別子の値と比較する帯域予約要求処理手段２０３、帯域解放要求処理手段２０５から情報が入力された時点からタイマーを設定する帯域予約タイマー２０６、帯域解放要求処理手段２０５から入力された情報に含まれるデータ識別子を記憶するデータ識別子記憶手段２０７、帯域予約要求処理手段２０３から入力された情報からデータ受信側の無線子機に送信する帯域予約トリガーを作成する帯域予約トリガー作成手段２０９で構成される。【選択図】図２
2005354554.tif 000002
【特許請求の範囲】
【請求項１】
無線の帯域を割り当てる無線親機と前記無線親機より前記帯域を割り当てられる複数の無線子機から構成されるネットワークにおいて、無線子機間のデータ伝送時における前記ネットワークの経路を制御する経路制御システムであって、データ送信側の前記無線子機はデータ送信開始前にデータ受信側の前記無線子機に直接送信か無線親機経由かを判定する経路判定手段を有し、無線親機経由と判定したら、データ送信側の前記無線子機から前記無線親機へデータを送信する帯域をデータ送信側の前記無線子機から予約し、無線親機からデータ受信側へデータを送信する帯域をデータ受信側の前記無線子機から予約することを特徴とする経路制御システム。
【請求項２】
前記無線親機は、データ送信側の前記無線子機から受信した帯域解放要求に含まれるデータ識別子を記憶するデータ識別子記憶手段と、
前記帯域解放要求が無線子機間の直接送信の帯域の解放要求の場合に、あらかじめ設定していたタイマーを起動する帯域予約タイマーと、
データ送信側の前記無線子機から受信した帯域予約要求を検出し、前記帯域予約要求に含まれた前記データの伝送品質を保証する前記帯域の割り当てを行い、前記帯域予約タイマーが起動中ならば前記データ識別子記憶手段に記憶されている値と前記帯域予約要求に含まれているデータ識別子の値を比較する帯域予約要求処理手段と、
前記帯域予約要求処理手段での比較結果より値が等しい場合に、データ受信側の無線子機に送信する帯域予約トリガーを作成する帯域予約トリガー作成手段
とを有し、前記無線子機は、
前記無線親機から受信した帯域予約トリガーを検出する帯域予約トリガー処理手段と、
前記帯域予約トリガーに基づいて、前記無線親機から前記無線子機へデータ送信に必要な前記帯域を予約する帯域予約要求生成手段
とを有することを特徴とする請求項１の経路制御システム。
【請求項３】
前記経路判定手段は、データ受信側の無線子機から送信される信号の受信の成否、または信号の受信電力レベルで経路を決定することを特徴とする請求項１の経路制御システム。
【請求項４】
前記経路判定手段は、ＩＥＥＥ８０２．１１ｅ規定のブロックＡＣＫのセットアップ信号を用いて経路を判定することを特徴をする請求項３の経路制御システム。
【請求項５】
前記経路判定手段は、データ受信側の無線子機から受信する子機間直接応答を用いて経路を判定することを特徴とする請求項３の経路制御システム。
【発明の詳細な説明】
【技術分野】
【０００１】
本発明は、無線子機間で直接データの送受信が可能な無線ネットワークの、経路制御システムある。
【背景技術】
【０００２】
従来の経路制御システムの技術として、受信側の無線子機がパケット受信に失敗した場合に、無線親機経由で再送するシステムを用いるものがあった（例えば、特許文献１参照）。図１０は、前記特許文献１に記載された従来の経路制御システムを示すものである。
【０００３】
無線区間の帯域を管理している無線親機１００１、パケット送信時に事前に前記無線親機１００１に帯域の予約を行ってから無線区間にパケットを送信する無線子機１００２及び無線子機１００３で構成される。ただし無線子機の数は二つに限定されない。
【０００４】
以上のように構成された従来の無線ネットワークでの経路制御システムについて説明する。
【０００５】
ここでは、無線子機１００２が無線子機１００３にデータを送る場合を例として示す。
【０００６】
まず、無線子機１００２は、送信データを固定長のパケットに分割し、パケットに必要な帯域の予約を無線親機１００１に行う。ここで、無線子機１００２は、固定長パケットが２つ以上あっても、パケット１つ分の帯域のみ予約を行い、２つ目以降のパケットの帯域予約は、１つ手前のパケット送信時に行う。予約が成功すれば無線子機１００２は送信待機状態となり、無線親機１００１からの送信許可を待つ。無線子機１００２は、無線親機１００１が送信した送信許可を受信すると、パケットを無線子機１００３に直接送信する。無線子機１００３はパケットを正常に受信した場合、無線親機１００１に正常受信応答を送る。しかし、無線子機１００３がパケットを正しく受信しなかった場合、無線親機１００１に正常受信応答を送らない。無線親機１００１は正常受信応答を受け取らなかった場合は、前記パケットを中継するために無線子機１００２に対して、無線子機１００３に送信したパケットを無線親機１００１に送信する送信許可を送る。無線親機１００１は、無線子機１００２から前記パケットを受信すると無線子機１００３に送信する。
【０００７】
以上のようにして、直接受信した無線子機１００３は、無線親機１００２に対して直接受信したことを通知し、無線親機１００２は、中継用の帯域を省略することができ効率のよい帯域利用が実現できる。
【０００８】
次に、本発明の基本となった無線子機間の直接通信を可能にするダイレクトリンクプロトコル（以後ＤＬＰと呼ぶ）と無線帯域の予約を行うＨＣＦ  ｃｏｎｔｒｏｌｌｅｄ  ｃｈａｎｎｅｌ  ａｃｃｅｓｓ（以後ＨＣＣＡと呼ぶ）について説明する。
【０００９】
ＨＣＣＡ・ＤＬＰは、現在ＩＥＥＥ８０２．１１のタスク・グループｅ（ＴＧｅ）で検討されており、ＭＡＣレイヤを拡張しネットワークの品質サービスをサポートする方法である。
【００１０】
図１１を用いてＤＬＰの設定方法説明する。
【００１１】
無線区間の帯域を管理しているＤＬＰ対応の無線親機２００１、パケット送信時に事前に前記無線親機２００１に帯域の予約を行ってから無線区間にパケットを送信するＤＬＰ対応の無線子機２００２及び無線子機２００３で構成される。ただし無線子機の数は二つに限定されない。
【００１２】
まず、データ送信側の無線子機２００２が無線親機２００１にＤＬＰリクエストを送信する。無線親機２００１はネットワーク内でＤＬＰが許可されていれば、ＤＬＰリクエストを受信側の無線子機２００３に送信する。受信側の無線子機２００３はＤＬＰリクエストを受けると、ＤＬＰレスポンスを無線親機２００１に送信する。無線親機２００１はＤＬＰレスポンスを無線子機２００２に転送する。無線子機２００２はＤＬＰレスポンスの内容を解析しＤＬＰが可能だと分かると、データの直接送信を開始する。
【００１３】
ＨＣＣＡはデータ伝送前に帯域の予約を行い、予約時に指定された帯域幅や遅延時間などのパラメータを保証するために図１２に示すよう所定の間隔で資源が割り当てられるので、一定の長さに区切られたデータが入力されるごとに資源を随時予約する必要がなく、大容量の映像等のストリームデータの送信に適している。
【００１４】
なお、ＨＣＣＡの設定は無線子機から無線親機に対して設定要求を行う。
【００１５】
また、１台の無線子機で複数の資源予約が可能であり、無線子機は帯域の予約時に予約の識別としてデータ識別子を使用する（参照文献：８０２．１１高速無線ＬＡＮ教科書  Ｐ３９〜Ｐ４２、Ｐ１１９〜Ｐ１２２  株式会社ＩＤＧジャパン）。
【特許文献１】特開２０００−２６１３９９号公報
【発明の開示】
【発明が解決しようとする課題】
【００１６】
しかしながら、特許文献１に記載した従来の構成では、パケット毎に直接送信を試み、受信できない場合に無線親機経由で送信するが、図１３の示すように無線子機同士の距離が離れている場合や、図１４のように無線子機間に障害物がある場合、直接送信されたパケットに頻繁に通信路誤りが発生し無線親機経由による再送が多発し、無線の帯域の利用効率が低下する。このような場合は、あらかじめ無線親機経由でデータ伝送するほうが好ましい。
【００１７】
しかし、特許文献１およびＤＬＰの設定は、無線子機間の伝播状況は考慮されていない。
【００１８】
例えば、映像などの大容量のストリームデータを伝送する場合、一定の長さに区切られたパケットを連続で送信するが、再送を繰り返すことにより伝播遅延等の影響で受信側の無線子機で再生される映像が正常に再生できない可能性が考えられる。
【００１９】
また、ＨＣＣＡは規格では無線子機からしか設定できないので、無線親機経由でデータ送信を行う場合は受信側の無線子機から、無線親機から受信側の無線子機にデータを送信する帯域の予約を行う必要がある。
【００２０】
本発明は、前記従来の課題を解決するもので、無線子機間で直接データの送受信が可能な無線ネットワークにおいて、無線子機間の直接送信から無線親機経由への帯域予約の切り替えと、子機間の伝播状態の判定を行う経路制御システムを提供することを目的とする。
【課題を解決するための手段】
【００２１】
前記従来の課題を解決するために、請求項１の発明は、データ送信開始前に、無線子機間の伝播状態を調べ、データ受信側の無線子機に対して、直接送信か無線親機経由かを判定する経路判定手段を有し、無線親機経由と判定したら、データ送信側の無線子機から、データ送信側の無線子機から前記無線親機へデータを送信する帯域を予約し、データ受信側の無線子機から、無線親機からデータ受信側へデータを送信する帯域を予約することを特徴とするものである。
【００２２】
請求項２の発明は、請求項１の発明において、前記無線親機は、データ送信側の前記無線子機から受信した帯域解放要求に含まれるデータ識別子を記憶するデータ識別子記憶手段と、前記帯域解放要求が無線子機間の直接送信の帯域解放要求の場合に、あらかじめ設定していたタイマーを起動する帯域予約タイマーと、データ送信側の前記無線子機から受信した帯域予約要求を検出し、前記帯域予約要求に含まれた前記データの伝送品質を保証する前記帯域の割り当てを行い、前記帯域予約タイマーが起動中ならば前記データ識別子記憶手段に記憶されている値と前記帯域予約要求に含まれているデータ識別子の値を比較する帯域予約要求処理手段と、前記帯域予約要求処理手段での比較結果より値が等しい場合に、データ受信側の無線子機に送信する帯域予約トリガーを作成する帯域予約トリガー作成手段とを有し、前記無線子機は、前記無線親機から受信した帯域予約トリガーを検出する帯域予約トリガー処理手段と、前記帯域予約トリガーに基づいて、前記無線親機から前記無線子機へデータ送信に必要な前記帯域を予約する帯域予約要求生成手段とを有することを特徴とするものである。
【００２３】
請求項３の発明は、請求項１の発明において、前記経路判定手段は、データ受信側の無線子機から送信される信号の受信の成否、及び信号の受信電力レベルで経路を決定することを特徴とするものである。
【００２４】
請求項４の発明は、請求項３の発明において、前記経路判定手段は、ＩＥＥＥ８０２．１１ｅ規定のブロックＡＣＫのセットアップ信号を用いて経路を判定することを特徴とするものである。
【００２５】
請求項５の発明は、請求項３の発明において、前記経路判定手段は、データ受信側の無線子機から受信するに子機間直接応答を用いて経路を判定することを特徴とするものである。
【発明の効果】
【００２６】
本発明の経路制御システムによれば、以下のような効果を奏する事ができる。
【００２７】
請求項１の発明では、データ送信側の前記無線子機はデータ送信開始前に、データ受信側の無線子機に直接送信か無線親機経由かを判定し、無線親機経由と判定したら、データ送信側の無線子機から前記無線親機へデータを送信する帯域をデータ送信側の無線子機から予約し、無線親機からデータ受信側へデータを送信する帯域をデータ受信側の無線子機から予約し、無線親機経由でデータを送信することにより、帯域の利用効率を向上させ、映像などのストリームデータを途切れるを回避できる。
【００２８】
請求項２の発明では、請求項１の効果が得られると共に、無線親機が自動でデータ受信側の無線子機に対して帯域予約のトリガーを送信することが可能になるとともに、データ送信側の無線子機の処理が軽減できる。
【００２９】
請求項３の発明では、請求項１の効果が得られると共に、データ受信側の無線子機から送信される信号を受信の成否、及び信号の受信電力レベルで判定を行うことにより無線子機間の伝播状態の測定が可能になる。
【００３０】
請求項４の発明では、請求項３の効果が得られると共に、無線子機間で設定を行うＩＥＥＥ８０２．１１ｅ規定のブロックＡＣＫのセットアップ信号を利用することにより、余分なトラフィックを増やすことなく無線子機間の伝播状態を判定することができる。
【００３１】
請求項５の発明では、請求項３の効果が得られると共に、子機間直接応答を用いることによって、精度の高い伝播状態の判定が可能になる。
【発明を実施するための最良の形態】
【００３２】
以下本発明の実施の形態について、図面を参照しながら説明する。
【００３３】
（実施の形態１）
図１〜３は、本発明の実施の形態１における経路制御システムの構成を示すブロック図である。
【００３４】
図１の無線子機１０は、アンテナ１０１、アンテナ１０１で受信する信号の受信処理とアンテナ１０１を介して送信するデータの送信処理及びデータの内容を調べ該無線子機宛てのデータか判定するを行なうデータ処理手段１０２、無線親機２０に送信する帯域予約要求を作成する帯域予約要求作成手段１０３、無線親機２０から受信した帯域予約要求に対する応答を検出する帯域予約応答処理手段１０４、帯域予約応答処理手段１０４から入力された情報からデータ受信側の無線子機３０に送信する選択再送設定要求を作成する選択再送設定要求作成手段１０５、無線親機２０から受信した選択再送設定要求に対する応答を検出する選択再送設定応答処理手段１０６、選択再送設定応答の信号レベルを検出する信号レベル検出手段１０７、選択再送設定応答処理手段１０６及び信号レベル検出手段１０７から入力された情報からデータの送受信を行なう無線子機間の伝播状態を判定し、データを受信側の無線子機に直接送信か無線親機経由で送信するか判定する経路判定手段１０８、経路判定手段１０８から入力された情報に基づいてデータ受信側の無線子機に直接送信が困難と判定した場合に、無線親機２０に送信する帯域を解放する要求を作成する帯域解放要求作成手段１０９、無線親機２０から受信した帯域解放要求に対する応答を検出する帯域解放応答処理手段１１０で構成される。
【００３５】
図２の無線親機２０は、アンテナ２０１、アンテナ２０１で受信する信号の受信処理とアンテナ２０１を介して送信するデータの送信処理及びデータの内容を調べ該無線親機宛てのデータか判定するを行なうデータ処理手段２０２、無線子機１０及び無線子機３０から受信した帯域予約要求を検出し、帯域予約タイマー２０６の状態を調べタイマーが起動しているならばデータ識別子記憶手段２０７に記憶されている値を取得し、帯域予約要求の情報に含まれているデータ識別子の値と比較する帯域予約要求処理手段２０３、帯域予約要求処理手段２０３から入力された情報から帯域予約要求を送信した無線子機に対して送信する帯域予約応答を作成する帯域予約応答作成手段２０４、無線子機１０から受信した帯域解放要求を検出する帯域解放要求処理手段２０５、帯域解放要求処理手段２０５から情報が入力された時点からタイマーを設定する帯域予約タイマー２０６、帯域解放要求処理手段２０５から入力された情報に含まれるデータ識別子を記憶するデータ識別子記憶手段２０７、データ識別子記憶手段２０７から入力された情報から無線子機１０に送信する帯域解放応答を作成する帯域解放応答作成手段２０８、帯域予約要求処理手段２０３から入力された情報から無線子機３０に送信する帯域予約トリガーを作成する帯域予約トリガー作成手段２０９で構成される。
【００３６】
図３の無線子機３０は、アンテナ３０１、アンテナ３０１で受信する信号の受信処理とアンテナ３０１を介して送信するデータの送信処理及びデータの内容を調べ該無線子機宛てのデータか判定するを行なうデータ処理手段３０２、無線子機１０から受信した選択再送設定要求を検出する選択再送設定要求処理手段３０３、選択再送設定要求処理手段３０３から入力された情報から無線子機１０に対して送信する選択再送設定応答を作成する選択再送設定応答作成手段３０４、無線親機２０から受信した帯域予約トリガーを検出する帯域予約トリガー処理手段３０５、帯域予約トリガー処理手段３０５から入力された情報から無線親機２０に対して送信する帯域予約要求を作成する帯域予約要求作成手段３０６、無線親機２０から受信した帯域予約要求に対する応答を検出し、応答に含まれる情報から帯域が予約できたことがわると、データ送信側の無線子機１０に対してデータを送信を許可するデータ送信トリガーを作成する帯域予約応答処理手段３０７で構成される。
【００３７】
以上のように構成された経路制御システムの動作について図４を用いて説明する。
【００３８】
ここでは、無線子機１０から無線子機３０にデータを送信する場合として経路制御の説明をする。また送信するデータは映像等のストリームデータとする。
【００３９】
本実施の形態では、帯域予約方式にＨＣＣＡを、無線子機間の直接送信方式にＤＬＰを用いる。
【００４０】
なお、選択再送方式については以後に述べる。
【００４１】
まず、無線子機１０は無線子機３０にデータ送信を行う場合、無線子機間でＤＬＰの設定を行う（Ｓ１〜Ｓ４）。
【００４２】
なお、ここではＤＬＰの設定が成功したとする。
【００４３】
無線子機１０はＤＬＰの設定が成功すると帯域予約要求作成手段１０３で、帯域予約に必要なパラメータを情報に含んだ帯域予約要求を生成し、データ処理手段１０２に送る。
【００４４】
なお、ここではデータ識別子の値を８とする。
【００４５】
データ処理手段１０２は帯域予約要求を受けると無線親機２０のアドレスを付加し、デジタル変調を施し、無線送信する周波数帯の送信信号に変換しアンテナ１０１を介して無線に出力する（Ｓ５）。
【００４６】
無線親機２０はアンテナ２０１で、無線子機１０から出力された帯域予約要求を受信するとデータ処理手段２０２に送る。
【００４７】
データ処理手段２０２は、帯域予約要求にデジタル復調を施し付加されたアドレスから自機宛ての帯域予約要求と判定し、付加されたアドレスを外して帯域予約要求処理手段２０３に送る。
【００４８】
帯域予約要求処理手段２０３は帯域予約要求が入力されると帯域予約要求を検出し、含まれている情報から所定の判定方法で帯域の割り当てが可能か判定し、可能ならば帯域の予約を行い、判定結果と帯域予約要求の情報に含まれたデータ識別子（値は８）を帯域予約応答作成手段２０４に送る。
【００４９】
ここでの判定結果は予約が「可能」とする。
【００５０】
帯域予約応答作成手段２０４は判定結果（「可能」）と帯域予約要求に含まれたデータ識別子（値は８）を情報として含まれる帯域予約要求に対する応答を生成しデータ処理手段２０２に送る。
【００５１】
データ処理手段２０２は帯域予約応答作成手段２０４から帯域予約要求に対する応答を受け取ると無線子機１０のアドレスを付加しデジタル変調を施し、無線送信する周波数帯の送信信号に変換しアンテナ２０１を介して無線に出力する（Ｓ６）。
【００５２】
無線子機１０はアンテナ１０１で、無線親機２０から出力された帯域予約要求に対する応答を受信するとデータ処理手段１０２に送る。
【００５３】
データ処理手段１０２は帯域予約要求に対する応答にデジタル復調を施し、付加されたアドレスから自機宛ての帯域予約要求に対する応答と判定し、付加されたアドレスを外して帯域予約応答処理手段１０４に送る。
【００５４】
帯域予約応答処理手段１０４は帯域予約応答が入力されると帯域予約応答を検出し帯域予約応答に含まれる情報から、帯域予約したと判ると、選択再送設定の設定を行うために必要な情報を選択再送設定要求作成手段１０５に送る。
【００５５】
ここで選択再送方式について説明する。
【００５６】
通常はパケット受信側はパケット毎にＡＣＫを返すが、選択再送方式では設定された数のパケットを受信した後にＡＣＫを送信側に返し、パケット誤りなどで相手にとどかなかったパケットのみ選択して再送する方式である。この方式は、ＤＬＰ・ＨＣＣＡ同様にＩＥＥＥ８０２．１１のタスク・グループｅ（ＴＧｅ）で検討されており、ブロックＡＣＫと規定されている。
【００５７】
選択再送の設定は、図５に示すようにデータ送信側から選択再送設定要求をデータ受信側に、データ受信側は選択再送設定応答をデータ送信側に送信する。
【００５８】
なお、タスク・グループｅ（ＴＧｅ）で検討されている規格では現在のところ選択再送方式は帯域予約時に行うことは必須とは示されていない。
【００５９】
選択再送設定要求作成手段１０５は、帯域予約応答処理手段１０４から入力された受信側の無線子機３０の情報から無線子機３０に送信する選択再送設定の要求を作成しデータ処理手段１０２に送る。
【００６０】
データ処理手段１０２は選択再送設定要求作成手段１０５から選択再送設定要求を受け取ると無線子機３０のアドレスを付加しデジタル変調を施し、無線送信する周波数帯の送信信号に変換しアンテナ１０１を介して無線に出力する（Ｓ７）。
【００６１】
無線子機３０はアンテナ３０１で、無線子機１０から出力された選択再送設定要求を受信すると、データ処理手段３０２に送る。
【００６２】
データ処理手段３０２は選択再送設定要求にデジタル復調を施し付加されたアドレスから自機宛ての選択再送設定要求と判定し、付加されたアドレスを外して選択再送設定要求処理手段３０３に送る。
【００６３】
選択再送設定要求処理手段３０３は入力された情報から選択再送の設定を行い、必要な情報を選択再送設定応答作成手段３０４に送る。
【００６４】
選択再送設定応答作成手段３０４は、選択再送設定要求処理手段３０３から入力された情報から、無線子機１０に送信する選択再送設定応答を作成し、データ処理手段３０２に送る。
【００６５】
データ処理手段３０２は選択再送設定応答作成手段３０４から選択再送設定応答を受け取ると無線子機１０のアドレスを付加しデジタル変調を施し、無線送信する周波数帯の送信信号に変換しアンテナ３０１を介して無線に出力する（Ｓ８）。
【００６６】
無線子機１０はアンテナ１０１で、無線子機３０から出力された選択再送設定応答を受信するとデータ処理手段１０２に送る。
【００６７】
データ処理手段１０２は選択再送設定応答にデジタル復調を施し付加されたアドレスから自機宛ての選択再送設定応答と判定し、付加されたアドレスを外して選択再送設定応答処理手段１０６に送る。
【００６８】
選択再送設定応答処理手段１０６は選択再送設定応答が入力されると選択再送設定応答を検出し選択再送設定応答に含まれる情報を経路判定手段１０８に送る。
【００６９】
信号レベル検出手段１０７はアンテナ１０１から入力された選択再送設定応答の信号レベルを検出し経路判定手段１０８に送る。
【００７０】
経路判定手段１０８は選択再送設定応答処理手段１０６から入力された情報と、信号レベル検出手段１０７から入力された選択再送設定応答の信号レベルとあらかじめ設定していた伝送可能な閾値と比較結果から、直接送信か無線親機経由かを判定する。
【００７１】
無線子機間の直接送信と判定すれば、無線子機１０はデータ送信を開始する。
【００７２】
しかしながら、判定の結果より直接送信が困難な場合や選択再送設定応答があらかじめ設定していた時間内に返ってこない場合は、以下の処理を行い無線親機経由でデータ送信を行う。
【００７３】
経路判定手段１０８は直接送信のために取得した帯域を解放するために帯域解放要求作成手段１０９に必要な情報を送る。
【００７４】
帯域解放要求作成手段１０９は、経路判定手段１０８から情報が入力されると、無線親機２０に送信する取得した帯域を解放する帯域解放要求を作成しデータ処理手段１０２に送信する。
【００７５】
データ処理手段１０２は帯域解放要求作成手段１０９から帯域解放要求を受け取ると無線親機２０のアドレスを付加しデジタル変調を施し、無線送信する周波数帯の送信信号に変換しアンテナ１０１を介して無線に出力する（Ｓ９）。
【００７６】
無線親機２０はアンテナ２０１で、無線子機１０から出力された帯域解放要求を受信すると、データ処理手段２０２に送る。
【００７７】
データ処理手段２０２は帯域解放要求にデジタル復調を施し付加されたアドレスから自機宛ての帯域解放要求と判定し、帯域解放要求処理手段２０５に送る。
【００７８】
帯域解放要求処理手段２０５は帯域解放要求が入力されると帯域解放要求を検出し帯域解放要求に含まれるデータ識別子（値は８）で取得し帯域を解放し、必要な情報を帯域予約タイマー２０６及びデータ識別子記憶手段２０７に送る。
【００７９】
帯域予約タイマー２０６は帯域解放要求処理手段２０５が直接送信の帯域を解放したならば、あらかじめ設定した値でタイマーをセットする。
【００８０】
データ識別子記憶手段２０７は帯域解放要求処理手段２０５が直接送信の帯域を解放したならば、帯域の取得時に使用したデータ識別子の値（ここでは８）を記憶する。
【００８１】
帯域解放応答作成手段２０８は無線子機１０に送信する帯域解放応答を作成してデータ処理手段２０２に送る。
【００８２】
データ処理手段２０２は帯域解放応答作成手段２０８から帯域解放応答を受け取ると無線親機１０のアドレスを付加しデジタル変調を施し、無線送信する周波数帯の送信信号に変換しアンテナ２０１を介して無線に出力する（Ｓ１０）。
【００８３】
無線子機１０はアンテナ１０１で、無線親機２０から出力された帯域解放応答を受信すると、データ処理手段１０２に送る。
【００８４】
データ処理手段１０２は帯域解放要求に対する応答にデジタル復調を施し付加されたアドレスから自機宛ての帯域解放応答と判定し、付加されたアドレスを外して帯域解放応答処理手段１１０に送る。
【００８５】
帯域解放応答処理手段１１０は帯域解放応答が入力されると帯域解放応答を検出し帯域解放応答に含まれる情報を、帯域予約要求作成手段１０３に送る。
【００８６】
帯域予約要求作成手段１０３は帯域解放応答処理手段１１０から入力された情報から、削除した帯域を取得したときのデータ識別子（値は８）を用いて、無線子機１０と無線親機２０間の帯域を取得する帯域予約要求を作成し、データ処理手段１０２に送る。
【００８７】
データ処理手段１０２は帯域予約要求を受けると無線子機１０のアドレスを付加しデジタル変調を施し、無線送信する周波数帯の送信信号に変換しアンテナ１０１を介して無線に出力する（Ｓ１１）。
【００８８】
無線親機２０はアンテナ２０１で、無線子機２０から出力された帯域予約要求を受信すると、データ処理手段２０２に送る。
【００８９】
データ処理手段２０２は帯域予約要求にデジタル復調を施し付加されたアドレスから自機宛ての帯域予約要求と判定し、付加されたアドレスを外して帯域予約要求処理手段２０３に送る。
【００９０】
帯域予約要求処理手段２０３は帯域予約要求が入力されると帯域予約要求を検出し、含まれている情報から所定の判定方法で帯域の割り当てが可能か判定する。可能ならば帯域の予約を行う。
【００９１】
ここでは予約が可能とする。
【００９２】
次に、帯域予約要求処理手段２０３は入力された情報から、無線子機から無線親機にデータ送信の帯域予約要求の場合、帯域予約タイマー２０６の状態を調べ、タイマーがカウントしているならばデータ識別子記憶手段２０７に記憶されている値を取得し、帯域予約要求に含まれているデータ識別子の値と比較する。
【００９３】
ここで、値が一致した場合は、帯域予約トリガー作成手段２０９に必要な情報を送る。
【００９４】
帯域予約トリガー作成手段２０９は無線子機３０から無線親機２０に対して帯域予約要求を送信するために必要なパラメータを情報に含んだ帯域予約トリガーを作成し、データ処理手段２０２に送る。
【００９５】
データ処理手段２０２は帯域予約トリガー作成手段２０９から帯域予約トリガーを受けると無線子機３０のアドレスを付加しデジタル変調を施し、無線送信する周波数帯の送信信号に変換しアンテナ２０１を介して無線に出力する（Ｓ１２）。
【００９６】
無線子機３０はアンテナ３０１で、無線親機２０から出力された帯域予約トリガーを受信すると、データ処理手段３０２に送る。
【００９７】
データ処理手段３０２は帯域予約トリガーにデジタル復調を施し付加されたアドレスから自機宛ての帯域予約トリガーと判定し、帯域予約トリガー処理手段３０５に送る。
【００９８】
帯域予約トリガー処理手段３０５は帯域予約トリガーが入力されると帯域予約トリガーを検出し帯域予約トリガーに含まれる情報を帯域予約要求作成手段３０６に送る。
【００９９】
帯域予約要求作成手段３０６は帯域予約トリガー処理手段３０５から入力された情報から無線親機２０に送信する帯域予約要求を作成しデータ処理手段３０２に送る。
【０１００】
データ処理手段３０２は帯域予約要求作成手段３０６から帯域予約要求を受けると無線親機２０のアドレスを付加しデジタル変調を施し、無線送信する周波数帯の送信信号に変換しアンテナ３０１を介して無線に出力する（Ｓ１３）。
【０１０１】
無線親機２０はアンテナ２０１で、無線子機３０から出力された帯域予約要求を受信すると、データ処理手段２０２に送る。
【０１０２】
データ処理手段２０２は帯域予約要求にデジタル復調を施し付加されたアドレスから自機宛ての帯域予約要求と判定し、付加されたアドレスを外して帯域予約要求処理手段２０３に送る。
【０１０３】
帯域予約要求処理手段２０３は帯域予約要求が入力されると帯域予約要求を検出し、含まれている情報から所定の判定方法で帯域の割り当てが可能か判定し、可能ならば帯域の予約を行い、判定結果と帯域予約要求の情報に含まれたデータ識別子を帯域予約応答作成手段２０４に送る。
【０１０４】
ここでの判定結果は予約が「可能」とする。
【０１０５】
帯域予約応答作成手段２０４は判定結果（「可能」）と帯域予約要求に含まれたデータ識別子を情報として含まれる帯域予約要求に対する応答を生成しデータ処理手段２０２に送る。
【０１０６】
データ処理手段２０２は帯域予約応答作成手段２０４から帯域予約要求に対する応答を受け取ると無線子機３０のアドレスを付加しデジタル変調を施し、無線送信する周波数帯の送信信号に変換しアンテナ２０１を介して無線に出力する（Ｓ１４）。
【０１０７】
無線子機３０はアンテナ３０１で無線親機２０から出力された帯域予約要求に対する応答を受信すると、データ処理手段３０２に送る。
【０１０８】
データ処理手段３０２は帯域予約要求に対する応答にデジタル復調を施し付加されたアドレスから自機宛ての帯域予約要求に対する応答と判定し、付加されたアドレスを外して帯域予約応答処理手段３０７に送る。
【０１０９】
帯域予約応答処理手段３０７は帯域予約応答が入力されると帯域予約応答を検出し帯域予約応答に含まれる情報から、帯域予約が成功したと判ると、無線子機１０に対して無線親機経由でデータ送信トリガーを送り（Ｓ１５）、無線子機１０はデータ送信トリガーを受信すると、無線親機経由でデータを送信開始する（Ｓ１６）。
【０１１０】
以上のように、送信側の無線子機は選択再送設定応答を用いて無線子機間の伝播状態を判定することで、データ送信前に経路を決定でき安定したデータ送信が可能になる。
【０１１１】
また、無線親機では、無線子機間の帯域予約時に使用したデータ識別子を帯域の解放時に記憶し、所定の時間内に同じ無線子機から同じデータ識別子を用いて、無線子機から無線親機へのデータ送信の帯域を予約要求を受けた場合、記憶していたデータ識別子の値と比較し一致したならば、受信側の無線子機に対して帯域予約トリガーを送り、受信側の無線子機は無線親機から受信側の無線子機へのデータ送信の帯域の予約を行うことにより、無線親機経由の帯域を取得することにより、送信側の無線子機の処理が軽減できる。
【０１１２】
なお、無線親機２０の帯域予約要求処理手段２０６は、記憶していたデータ識別子の値と比較し一致したならば、無線親機から受信側の無線子機へのデータ送信の帯域が必要となるので、要求された帯域の２倍の帯域が取得可能な場合のみ、判定結果を「可能」としてもよい。
【０１１３】
なお、本実施の形態では、無線親機経由でデータ送信を行う場合、データ送信側の無線子機は直接送信のために取得した帯域を解放したが、例えばデータ受信先の設定を無線子機３０から無線親機１０に変更する等の帯域の再取得を行うとしてもよい。
【０１１４】
なお、本実施の形態ではＩＥＥＥ８０２．１１のタスク・グループｅ（ＴＧｅ）で検討されている方式を用いたが、同様の効果が得られるならば他の方式を用いてもよい。
【０１１５】
（実施の形態２）
図６〜８は、本発明の実施の形態２における経路制御システムの構成を示すブロック図である。
【０１１６】
図６において、図１と同じ構成要素については同じ符号を用い、説明を省略する。
【０１１７】
図６の無線子機１１は、アンテナ１０１、データ処理手段１０２、帯域予約要求作成手段１０３、帯域予約応答処理手段１０４、経路判定手段１０８は実施の形態１と同等の構成である。
【０１１８】
さらに、データ受信側の無線子機３１から受信する子機間直接応答を検出する子機間直接応答処理手段１１１と、子機間直接応答の信号レベルを検出する信号レベル検出手段１１２、無線親機２１を経由して無線子機３１に送信する帯域予約トリガーを作成する帯域予約トリガー作成手段１１３で構成される。
【０１１９】
図７において、図２と同じ構成要素については同じ符号を用い、説明を省略する。
【０１２０】
図７の無線親機２１は、アンテナ２０１、データ処理手段２０２、帯域予約要求処理手段２０３、帯域予約応答作成手段２０４は実施の形態１と同等の構成である。
【０１２１】
図８において、図３と同じ構成要素については同じ符号を用い、説明を省略する。
【０１２２】
図８の無線子機３１は、アンテナ３０１、データ処理手段３０２、帯域予約トリガー処理手段３０５、帯域予約要求作成手段３０６、帯域予約応答処理手段３０７は実施の形態１と同等の構成である。
【０１２３】
さらに、無線子機１１に送信する子機間直接応答を作成する子機間直接応答作成手段３０８で構成される。
【０１２４】
本実施の形態では、データ受信側の無線子機３１が直接送信設定要求を受信したら、データ送信側の無線子機１１に対して子機間直接応答を送信し、データ送信側の無線子機１１は子機間直接応答を用いて子機間の伝播状態を判定を行うところと、無線子機１１が無線親機２１を経由して帯域予約トリガーを無線子機３１に送信するところが実施の形態１と異なる。
【０１２５】
以上のように構成した経路制御システムの動作について図９を用いて説明する。
【０１２６】
ここでは、無線子機１１から無線子機３１にデータを送信する場合として経路制御の説明をする。また送信するデータは映像等のストリームデータとする。
【０１２７】
また、本実施の形態の帯域予約方法と直接送信方法は、実施の形態１同様にＨＣＣＡとＤＬＰとする（図１１及び図１２参照）。
【０１２８】
まず、実施の形態１と同様に、無線子機１１は無線子機３１にデータ送信を行う場合、無線子機間でＤＬＰの設定を行う（Ｓ１〜Ｓ４）。
【０１２９】
なお、ここではＤＬＰの設定が成功したとする。
【０１３０】
無線子機３１は、ＤＬＰの要求を受信すると（Ｓ２）、子機間直接応答作成手段３０８で、ＤＬＰの要求の情報を含む子機間直接応答を作成し、データ処理手段３０２に送る。
【０１３１】
データ処理手段３０２は、子機間直接応答作成手段３０８から子機間直接応答を受けると無線子機１１のアドレスを付加しデジタル変調を施し、無線送信する周波数帯の送信信号に変換しアンテナ３０１を介して無線に出力する（Ｓ５）。
【０１３２】
無線子機１１はアンテナ１０１で、無線子機３１から出力された子機間直接応答を受信するとデータ処理手段１０２に送る。
【０１３３】
データ処理手段１０２は子機間直接応答にデジタル復調を施し付加されたアドレスから自機宛ての子機間直接応答と判定し、付加されたアドレスを外して子機間直接応答処理手段１１１に送る。
【０１３４】
子機間直接応答処理手段１１１は子機間直接応答が入力されると子機間直接応答を検出し子機間直接応答に含まれる情報を経路判定手段１０８に送る。
【０１３５】
信号レベル検出手段１１２はアンテナ１０１から入力された子機間直接応答の信号レベルを検出し経路判定手段１０８に送る。
【０１３６】
経路判定手段１０８は子機間直接応答処理手段１１１から入力された情報と、信号レベル検出手段１１２から入力された子機間直接応答の信号レベルとあらかじめ設定していた伝送可能な閾値と比較結果から、直接送信か無線親機経由かを判定する。
【０１３７】
無線子機間の直接送信と判定すれば、無線子機１１は帯域予約要求作成手段１０３で無線子機間の帯域を予約する帯域予約要求を作成する。
【０１３８】
データ処理手段１０２は帯域予約要求を受けると無線親機２１のアドレスを付加しデジタル変調を施し、無線送信する周波数帯の送信信号に変換しアンテナ１０１を介して無線に出力する。
【０１３９】
無線親機２１はアンテナ２０１で、無線子機１１から出力された帯域予約要求を受信するとデータ処理手段２０２に送る。
【０１４０】
データ処理手段２０２は帯域予約要求にデジタル復調を施し付加されたアドレスから自機宛ての帯域予約要求と判定し、付加されたアドレスを外して帯域予約要求処理手段２０３に送る。
【０１４１】
帯域予約要求処理手段２０３は帯域予約要求が入力されると帯域予約要求を検出し、含まれている情報から所定の判定方法で帯域の割り当てが可能か判定し、可能ならば帯域の予約を行い、判定結果と帯域予約要求の情報に含まれたデータ識別子を帯域予約応答作成手段２０４に送る。
【０１４２】
ここでの判定結果は予約が「可能」とする。
【０１４３】
帯域予約応答作成手段２０４は判定結果（「可能」）と帯域予約要求に含まれたデータ識別子を情報として含まれる帯域予約要求に対する応答を生成しデータ処理手段２０２に送る。
【０１４４】
データ処理手段２０２は帯域予約応答作成手段２０４から帯域予約要求に対する応答を受け取ると無線子機１１のアドレスを付加しデジタル変調を施し、無線送信する周波数帯の送信信号に変換しアンテナ２０１を介して無線に出力する。
【０１４５】
無線子機１１はアンテナ１０１で、無線親機２１から出力された帯域予約要求に対する応答を受信すると、データ処理手段１０２に送る。
【０１４６】
データ処理手段１０２は帯域予約要求に対する応答にデジタル復調を施し付加されたアドレスから自機宛ての帯域予約要求に対する応答と判定し、付加されたアドレスを外して帯域予約応答処理手段１０４に送る。
【０１４７】
帯域予約応答処理手段１０４は帯域予約応答が入力されると帯域予約応答を検出し帯域予約応答に含まれる情報から、帯域予約が成功したと判ると、データ送信を開始する。
【０１４８】
しかしながら、経路判定手段１０８の判定結果より直接送信が困難な場合や、子機間直接応答があらかじめ設定していた時間内に返ってこない場合は、以下の処理を行い無線親機経由でデータ送信を行う。
【０１４９】
経路判定手段１０８は無線親機経由と判定すれば、無線子機１１は帯域予約要求作成手段１０３で無線子機１１から無線親機２１へデータを送信するための帯域予約する帯域予約要求を作成し、データ処理手段１０２に送る。
【０１５０】
データ処理手段１０２は帯域予約要求を受けると無線子機２１のアドレスを付加しデジタル変調を施し、無線送信する周波数帯の送信信号に変換しアンテナ１０１を介して無線に出力する（Ｓ６）。
【０１５１】
無線親機２１はアンテナ２０１で、無線子機１１から出力された帯域予約要求を受信するとデータ処理手段２０２に送る。
【０１５２】
データ処理手段２０２は帯域予約要求にデジタル復調を施し付加されたアドレスから自機宛ての帯域予約要求と判定し、付加されたアドレスを外して帯域予約要求処理手段２０３に送る。
【０１５３】
帯域予約要求処理手段２０３は帯域予約要求が入力されると帯域予約要求を検出し、含まれている情報から所定の判定方法で帯域の割り当てが可能か判定し、可能ならば帯域の予約を行い、判定結果と帯域予約要求の情報に含まれたデータ識別子を帯域予約応答作成手段２０４に送る。
【０１５４】
ここでの判定結果は予約が「可能」とする。
【０１５５】
帯域予約応答作成手段２０４は判定結果（「可能」）と帯域予約要求に含まれたデータ識別子を情報として含まれる帯域予約要求に対する応答を生成しデータ処理手段２０２に送る。
【０１５６】
データ処理手段２０２は帯域予約応答作成手段２０４から帯域予約要求に対する応答を受け取ると無線子機１１のアドレスを付加しデジタル変調を施し、無線送信する周波数帯の送信信号に変換しアンテナ２０１を介して無線に出力する（Ｓ７）。
【０１５７】
無線子機１１はアンテナ１０１で、無線親機２１から出力された帯域予約要求に対する応答を受信すると、データ処理手段１０２に送る。
【０１５８】
データ処理手段１０２は帯域予約要求に対する応答にデジタル復調を施し付加されたアドレスから自機宛ての帯域予約要求に対する応答と判定し、付加されたアドレスを外して帯域予約応答処理手段１０４に送る。
【０１５９】
帯域予約応答処理手段１０４は帯域予約応答が入力されると帯域予約応答を検出し帯域予約応答に含まれる情報から、帯域予約が成功したと判ると、無線親機経由で無線子機３１に送信する無線子機３１が帯域予約要求を行うなうために必要な情報を含む、帯域予約トリガーを作成し、データ処理手段１０２に送る。
【０１６０】
データ処理手段１０２は帯域予約トリガーを受けると無線子機３１のアドレスを付加しデジタル変調を施し、無線送信する周波数帯の送信信号に変換しアンテナ１０１を介して無線に出力する（Ｓ８）。
【０１６１】
無線親機２１はアンテナ２０１で、無線子機１１から出力された帯域予約トリガーを受信するとデータ処理手段２０２に送る。
【０１６２】
データ処理手段２０２は帯域予約トリガーにデジタル復調を施し付加されたアドレスから無線子機３１宛ての帯域予約トリガーと判定しデジタル変調を施し、無線送信する周波数帯の送信信号に変換しアンテナ２０１を介して無線に出力する（Ｓ９）。
【０１６３】
無線子機３１はアンテナ３０１で、無線親機２１から出力された帯域予約トリガーを受信すると、データ処理手段３０２に送る。
【０１６４】
データ処理手段３０２は帯域予約トリガーにデジタル復調を施し付加されたアドレスから自機宛ての帯域予約トリガーと判定し、帯域予約トリガー処理手段３０５に送る。
【０１６５】
帯域予約トリガー処理手段３０５は帯域予約トリガーが入力されると帯域予約トリガーを検出し帯域予約トリガーに含まれる情報を帯域予約要求作成手段３０６に送る。
【０１６６】
帯域予約要求作成手段３０６は帯域予約トリガー処理手段３０５から入力された情報から無線親機２１に送信する帯域予約要求を作成しデータ処理手段３０２に送る。
【０１６７】
データ処理手段３０２は帯域予約要求作成手段３０６から帯域予約要求を受けると無線親機２１のアドレスを付加しデジタル変調を施し、無線送信する周波数帯の送信信号に変換しアンテナ３０１を介して無線に出力する（Ｓ１０）。
【０１６８】
無線親機２１はアンテナ２０１で、無線子機３１から出力された帯域予約要求を受信すると、データ処理手段２０２に送る。
【０１６９】
データ処理手段２０２は帯域予約要求にデジタル復調を施し付加されたアドレスから自機宛ての帯域予約要求と判定し、付加されたアドレスを外して帯域予約要求処理手段２０３に送る。
【０１７０】
帯域予約要求処理手段２０３は帯域予約要求が入力されると帯域予約要求を検出し、含まれている情報から所定の判定方法で帯域の割り当てが可能か判定し、可能なら帯域の予約を行い、判定結果と帯域予約要求の情報に含まれたデータ識別子を帯域予約応答作成手段２０４に送る。
【０１７１】
ここでの判定結果は予約が「可能」とする。
【０１７２】
帯域予約応答作成手段２０４は判定結果（「可能」）と帯域予約要求に含まれたデータ識別子を情報として含まれる帯域予約要求に対する応答を生成しデータ処理手段２０２に送る。
【０１７３】
データ処理手段２０２は帯域予約応答作成手段２０４から帯域予約要求に対する応答を受け取ると無線子機３１のアドレスを付加しデジタル変調を施し、無線送信する周波数帯の送信信号に変換しアンテナ２０１を介して無線に出力する（Ｓ１１）。
【０１７４】
無線子機３１はアンテナ３０１で、無線親機２１から出力された帯域予約要求に対する応答を受信すると、データ処理手段３０２に送る。
【０１７５】
データ処理手段３０２は帯域予約要求に対する応答にデジタル復調を施し付加されたアドレスから自機宛ての帯域予約要求に対する応答と判定し、付加されたアドレスを外して帯域予約応答処理手段３０７に送る。
【０１７６】
帯域予約応答処理手段３０７は帯域予約応答が入力されると帯域予約応答を検出し帯域予約応答に含まれる情報から、帯域予約が成功したと判ると、無線子機１１に対して無線親機経由でデータ送信トリガーを送り、無線子機１１はデータ送信トリガーを受信する（Ｓ１２）と、無線親機経由でデータを送信開始する（Ｓ１３）。
【０１７７】
以上のように、送信側の無線子機は子機間直接応答を用いて無線子機間の伝播状態を判定することで、データ送信前に経路を決定でき安定したデータ送信が可能になる。
【０１７８】
また、データ送信側の無線子機は帯域予約要求前に、経路判定を行うので無線親機経由の場合は、帯域の切り替えを行う処理を軽減できる。
【０１７９】
なお、子機間直接応答作成手段３０８は、例えば３個の子機間直接応答を作成し、データ送信側の無線子機の経路判定手段１０８はあらかじめ無線子機３０から送信された子機間直接応答の個数を知っており、全ての子機間直接応答を用いて経路判定に用いて精度の高い判定を行うものとしても良い。
【０１８０】
また、本実施の形態では無線子機１０は無線子機間の伝播状態を検出するのに子機間直接応答を用いたが、子機間直接応答以外でも無線子機３０から送信された信号ならば同等の効果が得られる。
【０１８１】
例えば、従来、無線子機１１はデータ処理手段１０２はＤＬＰ応答（Ｓ３）を受信すると自機宛てのデータでないので破棄しているが、破棄せずにＤＬＰ応答（Ｓ３）を用いて経路判定を行うものとしてもよい。
【産業上の利用可能性】
【０１８２】
本発明にかかる経路制御システムは、データ送受信を行う機器間の伝播状態を調べ、データ送信開始前に経路を決定し、安定したデータ伝送を行うことが必要な、映像等のストリームデータの送信に有効である。
【図面の簡単な説明】
【０１８３】
【図１】本発明の実施の形態１におけるデータ送信側の無線子機の構成を示すブロック図
【図２】本発明の実施の形態１における無線親機の構成を示すブロック図
【図３】本発明の実施の形態１におけるデータ受信側の無線子機の構成を示すブロック図
【図４】本発明の実施の形態１における無線親機経由の帯域予約設定のシーケンス図
【図５】選択再送の設定の図
【図６】本発明の実施の形態２におけるデータ送信側の無線子機の構成を示すブロック図
【図７】本発明の実施の形態２における無線親機の構成を示すブロック図
【図８】本発明の実施の形態２におけるデータ受信側の無線子機の構成を示すブロック図
【図９】本発明の実施の形態２における無線親機経由の帯域予約設定のシーケンス図
【図１０】従来の無線ネットワークの構成を示す図
【図１１】ＤＬＰの設定の図
【図１２】ＨＣＦ  ｃｏｎｔｒｏｌｌｅｄ  ｃｈａｎｎｅｌ  ａｃｃｅｓｓの資源割り当ての図
【図１３】無線子機同士の距離が離れている無線ネットワークの図
【図１４】無線子機間に障害物がある無線ネットワークの図
【符号の説明】
【０１８４】
１０    無線子機
２０    無線親機
３０    無線子機
１１    無線子機
２１    無線親機
３１    無線子機
１０１    アンテナ
１０２    データ処理手段
１０３    帯域予約要求作成手段
１０４    帯域予約応答処理手段
１０５    選択再送設定要求作成手段
１０６    選択再送設定応答処理手段
１０７    信号レベル検出手段
１０８    経路判定手段
１０９    帯域解放要求作成手段
１１０    帯域解放応答処理手段
１１１    子機間直接応答処理手段
１１２    信号レベル検出手段
１１３    帯域予約トリガー作成手段
２０１    アンテナ
２０２    データ処理手段
２０３    帯域予約要求処理手段
２０４    帯域予約応答作成手段
２０５    帯域解放要求処理手段
２０６    帯域予約タイマー
２０７    データ識別子記憶手段
２０８    帯域解放応答作成手段
２０９    帯域予約トリガー作成手段
３０１    アンテナ
３０２    データ処理手段
３０３    選択再送設定要求処理手段
３０４    選択再送設定応答作成手段
３０５    帯域予約トリガー処理手段
３０６    帯域予約要求作成手段
３０７    帯域予約応答処理手段
３０８    子機間直接応答作成手段
１００１    無線親機
１００２    無線子機
１００３    無線子機
２００１    無線親機
２００２    無線子機
２００３    無線子機
【図１】
2005354554.tif 000003
【図２】
2005354554.tif 000004
【図３】
2005354554.tif 000005
【図４】
2005354554.tif 000006
【図５】
2005354554.tif 000007
【図６】
2005354554.tif 000008
【図７】
2005354554.tif 000009
【図８】
2005354554.tif 000010
【図９】
2005354554.tif 000011
【図１０】
2005354554.tif 000012
【図１１】
2005354554.tif 000013
【図１２】
2005354554.tif 000014
【図１３】
2005354554.tif 000015
【図１４】
2005354554.tif 000016